(57)【要約】【課題】空気を軸方向から吸入してから、背圧の干渉なく回転の接線方向に運んでいくことができ、排気量の増加によって冷却効果が向上することができるファン装置を提供しようとする。【解決手段】空気の吸入口と吐出口とを有するハウジングと、前記ハウジングに納められ、前記吸入口から回転軸の軸方向に吸入した空気を前記回転軸と直角の方向に流して前記吐出口から吐き出すための羽根車と、を備えたファン装置において、前記羽根車は、モーターの駆動軸に取り付けされるハブと、前記ハブの周囲に配設される複数の羽根板と、前記ハブから周方向に等間隔をあけてそれぞれ外側に延伸されて前記羽根板を支持する複数の支持腕と、前記羽根板の間に位置し、吸入した前記空気の流れが前記回転軸と直角の方向に変わるように吸入した前記空気をガイドするガイド部と、を備えたことを特徴とするファン装置を提供する。【選択図】図６
0003102577.tif 000002
【実用新案登録請求の範囲】
【請求項１】
空気の吸入口と吐出口とを有するハウジングと、前記ハウジングに納められ、前記吸入口から回転軸の軸方向に吸入した空気を前記回転軸と直角の方向に流して前記吐出口から吐き出すための羽根車と、を備えたファン装置において、
前記羽根車は、
モーターの駆動軸に取り付けされるハブと、
前記ハブの周囲に配設される複数の羽根板と、
前記ハブから周方向に等間隔をあけてそれぞれ外側に延伸されて前記羽根板を支持する複数の支持腕と、
前記羽根板の間に位置し、吸入した前記空気の流れが前記回転軸と直角の方向に変わるように吸入した前記空気をガイドするガイド部と、を備えたことを特徴とするファン装置。
【請求項２】
前記複数の羽根板が取り付けられ、前記複数の支持腕によって支持される支持環（第１の支持環）を備え、
前記複数の羽根板のうち空気吐き出し側とは反対の側寄りの部位が前記支持環に固定されたことを特徴とする請求項１に記載のファン装置。
【請求項３】
前記ガイド部のガイド面は、前記支持環の環内から環外へと傾斜したことを特徴とする請求項２に記載のファン装置。
【請求項４】
前記支持環の一部を前記ガイド部とすることによって前記支持環と前記ガイド部とを一体化したことを特徴とする請求項２又は３に記載のファン装置。
【請求項５】
前記羽根板の空気吐き出し方向の長さのほぼ三分の一の長さの箇所の前記反対の側寄りの部位が前記支持環に固定されたことを特徴とする請求項２から４のいずれかに記載のファン装置。
【請求項６】
前記複数の羽根板は、いずれも、前記支持環と前記複数のガイド部とから一体になったものにより、前記ハウジングの空気吸入口のある側面に近い一端縁を含む第１側と、該第１側の反対側であって他端縁を含めた第２側とに分かれ、且つ、前記第１側は、前記支持環と前記複数のガイド部とから一体になったものの面上に延在してから前記環外に延伸してなり、前記第２側は、前記第１側の前記環外に延伸部分から引き続いて前記端縁の反対側へ延伸してなったことを特徴とする請求項１〜３に記載のファン装置。
【請求項７】
前記複数の羽根板の前記第２側の先端同士間に羽根板保持環が延伸してそれらを保持していることを特徴とする請求項６に記載のファン装置。
【請求項８】
前記複数の支持腕は、いずれも、前記回転方向の反対方向及び前記吸入口の方向に放物線状に延伸してなったことを特徴とする請求項１〜７のいずれかに記載のファン装置。
【考案の詳細な説明】
【技術分野】
【０００１】
本考案は、ファン装置に関し、特に、空気を回転の軸方向から吸入して回転の接線方向に運んでいくファン装置に関する。
【背景技術】
【０００２】
従来から、モータと共にコンピュータに実装され、ファンを駆動して、コンピュータにおける電子部品の発熱を外部へ導出して放散させ、コンピュータを冷却する、冷却ファン装置または散熱用ファン装置と呼ばれるファン装置がある。この種のファン装置は、図１のように、羽根車１２を、該羽根車１２を枢支する台座としての基板１１１と、該基板１１１に設置されると共に前記羽根車１２を囲んでいるカバー１１２とからなったハウジング１１内に回転可能に収納してなるものが知られている。前記カバー１１２の、その前記回転の面の側面となった一面に吸入口１１３が設けられており、且つ、前記回転の接線方向となった一箇所に導出口１１４が形成されている。前記羽根車１２は、図２及び図３に示すように、ハブ１２１と、該ハブ１２１の外周縁からそれぞれ外へ延伸してなった複数の支持腕１２２と、前記複数の支持腕１２２の先端同士間に延伸していると同時にそれらによって支持されている支持環１２３と、前記支持環１２３から等間隔を開けて前記羽根車１２の軸方向と平行に同一方向へ延伸してなった複数の羽根板１２４と、外から前記複数の羽根板１２４の前記支持環１２３と遠ざかっている一端を囲んで保持している羽根板保持環１２５と、を備えている。このファン装置１の運転の際に、前記羽根車１２の回転によって空気を前記吸入口１１３から該羽根車１２の回転軸方向に沿って吸入してから、前記複数の羽根板１２４を介して前記一接線方向にある導出口１１４へ運んでいく。それにより、コンピュータ内の発熱を外部へ導出して放散させ冷却することができる。
しかしながら、このような構造によるファン装置１は、運転時に前記羽根車１２の回転によって軸方向から吸入される空気が前記複数の羽根板１２４に導かされて径方向に転向した後接線方向に放り出されるが、前記転向の効率が悪くて大部分の空気が前記基板１１１に当たってから急に径方向に転向して背圧が生じるため、気流が乱されてスムーズに導出できなく、さらに空気の排出量及び風圧が減殺され、冷却効果が予期通りにならない。また、前記のように、前記複数の羽根板１２４の前記支持環１２３と遠ざかっている一端の外周に羽根板保持環１２５が設けられているので、径方向に転向した気流が前記羽根板１２４同士間を流れて導出される時、前記羽根板保持環１２５に妨げられて効率的に外へ排出されることができない。
【考案の開示】
【考案が解決しようとする課題】
【０００３】
上記に鑑みて、本考案の目的は、空気を回転軸方向から吸入してから、背圧の干渉が小さくて回転軸と直角の方向に順調に運んでいくことができ、排気量の増加によって冷却効果が向上することができるファン装置を提供しようとする。
【課題を解決するための手段】
【０００４】
前記目的を達成するために、本考案は、空気の吸入口と吐出口とを有するハウジングと、前記ハウジングに納められ、前記吸入口から回転軸の軸方向に吸入した空気を前記回転軸と直角の方向に流して前記吐出口から吐き出すための羽根車と、を備えたファン装置において、前記羽根車は、モーターの駆動軸に取り付けされるハブと、前記ハブの周囲に配設される複数の羽根板と、前記ハブから周方向に等間隔をあけてそれぞれ外側に延伸されて前記羽根板を支持する複数の支持腕と、前記羽根板の間に位置し、吸入した前記空気の流れが前記回転軸と直角の方向に変わるように吸入した前記空気をガイドするガイド部と、を備えたことを特徴とするファン装置を提供する。
【考案の効果】
【０００５】
前記構造によるファン装置は、前記羽根板の間に位置し、吸入した前記空気の流れが前記回転軸と直角の方向に変わるように吸入した前記空気をガイドするガイド部と、を備えたので、回転によって吸入される空気がそれらを介してスムーズに外へ導出されることができる（以下、気流転向効果と称す）。特に、前記複数の羽根板が、羽根車の軸方向からみるといずれも前記回転方向に放物線のように延伸しているものであれば、前記気流転向効果がもっと良い。また、前記支持環と前記複数のガイド部とから一体になっているものであれば、支持環として機能するのみならず、前記複数の羽根板同士間に設けられているため、気流を妨害しない上、ガイド部として機能し、軸方向からの空気を妨害なしで導くことはできるので、気流転向効果が一層良く背圧を有効に弱めることができる。
【考案を実施するための最良の形態】
【０００６】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
まず、本考案のファン装置の好ましい実施形態例を図４〜図７（図４に代えて図９を参照しても良い）を参照しながら説明する。この実施形態例のファン装置は、図４のように、その回転により空気を軸方向から吸入して回転の接線方向に運んでいく羽根車３と、羽根車３を囲んでいるハウジング２とからなるものである。該ハウジング２には、その前記回転の面の側面となった一面２１に空気の吸入口２２と、前記回転の接線方向となった一箇所に開口してから引き続いて拡大した空気の導出口２３とが形成されている。
羽根車３は、ハウジング２内に設置されていてモーター（図示せず）により駆動されるハブ３１から、複数の支持腕３２が周方向に等間隔を開けてそれぞれ外へ延伸し、複数の支持腕３２の先端同士間には支持環３３がそれらによって支持されるように延伸し、該支持環３３から、複数の羽根板３４が等間隔を開けて前記軸方向と平行に相対の両方向へ延伸して構成されている。
【０００７】
複数の支持腕３２は、図５と図６のように、いずれも前記回転方向の反対方向及び吸入口２２の方向に放物線状に延伸しているが、それに限定されず、例えば前記回転方向に放物線状に延伸してもいい。複数の羽根板３４は、羽根車３の軸方向からみるといずれも前記回転方向に放物線のように延伸しており、且つ、図６に示すように、支持環３３にだけでなく、それらの空気吸入口２２のある側面２１に近い端縁の相対の他端縁同士間に延伸している羽根板保持環３５にも保持されている。
【０００８】
また、支持環３３は、その図中における上面が環内から環外へと傾斜し、複数の羽根板３４のうちハウジング２の空気吸入口２２のある側面２１に近い端縁から他端縁の方向へ測って羽根板３４の約三分の一の長さの箇所に配置されている（図６と図７に参照）が、それに限定されなく、必要に応じて変更することができる。また、複数の羽根板３４は、いずれも、支持環３３により、前記端縁を含めた第１側３４１と該第１側３４１の反対側であって前記他端縁を含めた第２側３４２とに分かれている。該第１側３４１は支持環３３の面上に延在してから前記環外に延伸してなっており、該第２側３４２は、第１側３４１の延伸端縁から引き続いて前記端縁の反対側へ延伸してなっており、即ち、該第１側３４１の幅が該第２側３４２の幅より大である（図６の右側に参照）。図７のように複数の羽根板３４同士間に位置する支持環３３の環内から環外へと斜めに下がったガイドベーン（ガイド部の一例）３３１が形成されている。即ち、ガイドベーン３３１は支持環３３のうち羽根板３４同士間に位置するものである。そして、複数の羽根板３４がいずれも前記回転方向に放物線のように延伸しているので、支持環３３の各ガイドベーン３３１は、いずれも、その、空気吸入口２２のある側面２１に向き合っている面の両側辺がその両方にある羽根板３４の放物面に沿って延伸し、アーク状の斜面になっている。前文に照応すると、羽根板保持環３５は羽根板３４の第２側同士間に延伸している。
【０００９】
このファン装置の運転時、図４と図６における矢印の指す方向のように、羽根車３の回転によって空気を吸入口２２から回転軸方向に沿って吸入してから、多くが複数のガイドベーン３３１の案内によって順調に導出口２３へ導出することができる。これにより、吸入された空気のハウジング２内面に当たることによる背圧が弱まるので、空気の流路が滞りなく通じて排気量が向上することができる。
【００１０】
本考案のファン装置と従来のファン装置との運転時の風圧を比較して得られた結果は図８に示す。図中に、横軸のＱ（ＣＦＭ）はファン装置の送風量を示し、縦軸のＰ（ｍｍＨ2Ｏ）は送風の圧力を示す。図示から見ると、従来より本考案のファン装置は送風量も風圧も高いので、本考案による気流の転向は排気量の増加のみならず風圧の増加にも役立つことができると分かる。
図８は、ハウジング２の形状を変更したファン装置の実施形態例を示している。
【産業上の利用可能性】
【００１１】
前記構造によれば、本考案は、空気を軸方向から吸入してから、ガイド部を介して気流を斜流となってスムーズに導出することができるため、背圧の干渉が小さくて排気量と風圧が増大し、冷却効果が向上することができるファン装置を提供することができる。
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００１２】
【図１】従来のファン装置の斜視図
【図２】従来のファン装置における羽根車の上面図
【図３】図２の羽根車の縦断面構成図
【図４】本考案のファン装置の好ましい実施形態例の斜視図
【図５】前記実施形態例における羽根車の上面図
【図６】図５の羽根車の縦断面構成図
【図７】図５の羽根車の斜視図
【図８】本考案のファン装置と従来のファン装置との運転時における送風効果の比較図
【図９】本考案のファン装置の他の実施形態例の斜視図
【符号の説明】
【００１３】
１      従来のファン装置
１１    ハウジング
１１１  基板
１１２  カバー
１１３  吸入口
１１４  導出口
１２    羽根車
１２１  ハブ
１２２  支持腕
１２３  支持環
１２４  羽根板
１２５  羽根板保持環
２      ハウジング
２１    ハウジングの一側面
２２    吸入口
２３    導出口
３      羽根車
３１    ハブ
３２    支持腕
３３    支持環
３３１  ガイド部
３４    羽根板
３４１  羽根板の第１側
３４２  羽根板の第２側
３５    羽根板保持環
【図１】
0003102577.tif 000003
【図２】
0003102577.tif 000004
【図３】
0003102577.tif 000005
【図４】
0003102577.tif 000006
【図５】
0003102577.tif 000007
【図６】
0003102577.tif 000008
【図７】
0003102577.tif 000009
【図８】
0003102577.tif 000010
【図９】
0003102577.tif 000011